(57)【要約】【課題】デザイン性に優れて楽しく使用される芳香装置や虫除け装置として使用される成分発生装置を提供する。【解決手段】  かご状収納体２と、かご状収納体２内に配置され、虫除け成分及び／又は芳香成分を発生させるペット形態の成分発生体４とからなり、成分発生体４が樹脂成形品よりなるプレート片よりなり、風を受けることで回転可能に設けられてなる成分発生装置。【選択図】図１
2016119878.tif 000002
【特許請求の範囲】
【請求項１】
かご状収納体と、前記かご状収納体内に配置され、虫除け成分及び／又は芳香成分を発生させるペット形態の成分発生体とからなることを特徴とする成分発生装置。
【請求項２】
前記成分発生体が樹脂成形品よりなるプレート片よりなり、風を受けることで回転可能に設けられてなる請求項１記載の成分発生装置。
【請求項３】
前記ペット形態を小鳥とする請求項１または２記載の成分発生装置。
【請求項４】
前記かご状収納体が取り外し可能な吊り下げ部を備え、前記吊り下げ部が前記かご状収納体の底部の下面に嵌め込み状態に収納される請求項１記載の成分発生装置。
【請求項５】
成分発生体が樹脂成形品よりなるプレート片より形成され、前記成分発生体が風を受けることで回転可能に設けられて構成されることを特徴とする成分発生装置。
【発明の詳細な説明】
【技術分野】
【０００１】
この発明は、虫除け装置や芳香発生装置として用いられる成分発生装置に関する。
【背景技術】
【０００２】
虫除け装置として窓や玄関の外側に吊るして設けるものがあり、このものは、例えば、プレート形態の通気性のケース内に虫除け成分の発生体が納められて構成されており、ケース内から発生体の虫除け成分を外部に発散させるようになっている。
【発明の概要】
【発明が解決しようとする課題】
【０００３】
上記形態の虫除け装置は、虫除け機能は果たすもののデザイン性において満足されるものではなかった。
【０００４】
この発明では、デザイン性に優れて楽しく使用される虫除け装置や芳香発生装置を提供することを目的とする。
【課題を解決するための手段】
【０００５】
この発明では、かご状収納体と、かご状収納体内に配置され、虫除け成分及び／又は芳香成分を発生させるペット形態の成分発生体とからなることを特徴とする成分発生装置を提供する。
【０００６】
上記構成の成分発生装置は、かご状収納体内にペット形態の成分発生体が配置されることで「ペットが内部にいるかご」の外観を呈し、楽しくデザイン性に優れる。成分発生体から虫除け成分及び／又は芳香成分が発生して、芳香機能、虫除け機能を果たす。
【０００７】
成分発生体が樹脂成形品よりなるプレート片よりなり、風を受けることで回転可能に設けられてなる構成とすることで、回転することでペットが動くように見えるとともに虫除け成分及び／又は芳香成分の発散が良好に行われる。成分発生体は樹脂成形品のプレート片よりなり軽量で風を受けやすいので、その回転動作がスムーズに行われる。
【０００８】
ペット形態としては小鳥やハムスター等のペットとなるものが適宜選択される。
【０００９】
かご状収納体が取り外し可能な吊り下げ具を備え、吊り下げ具がかご状収納体の底部の下面に嵌め込み状態に収納されることで、成分発生装置の設置使用時、販売梱包時に、吊り下げ具が成分発生装置に一体に納まりよく収納される。
【００１０】
また、この発明では、成分発生体が樹脂成形品よりなるプレート片より形成され、成分発生体が風を受けることで回転可能に設けられて構成されることを特徴とする成分発生装置を提供する。
【００１１】
上記構成の成分発生装置は、成分発生体が回転することで虫除け成分や芳香成分の発散が良好に行われる。成分発生体は樹脂成形品のプレート片よりなり軽量で風を受けやすいので、その回転動作がスムーズに行われる。
【発明の効果】
【００１２】
この発明によれば、デザイン性に優れて楽しく使用される、虫除け装置や芳香発生装置として好適な成分発生装置が得られ、また、成分の発散が良好に行われる成分発生装置が得られる。
【図面の簡単な説明】
【００１３】
【図１】この発明の成分発生装置の外観正面図
【図２】この発明の成分発生装置で使用される上かご部頂部の部分平面図
【図３】この発明の成分発生装置で使用される上かご部頂部の部分断面図
【図４】この発明の成分発生装置で使用される成分発生体の外観斜視図
【図５】この発明の成分発生装置の下かご部の底部下面における吊り下げ具の収納説明図
【発明を実施するための形態】
【００１４】
図１はこの発明の成分発生装置の全体正面図である。成分発生装置１は全体がプラスチックス製で、かご状収納体２と吊り下げ具３と成分発生体４とから構成される。
【００１５】
かご状収納体２は上かご部５と下かご部７とからなり、それぞれの対向する縁部が互いに嵌合、係合されて一体とされ、全体が「鳥かご」の形態を呈する。
【００１６】
図２、図３は上かご部５の頂部９の構成を示し、頂部９には円形の凹み部１０が設けられており、その底部１２には中央に円形開口部１３が設けられるとともにその円形開口部１３を中心として３本のスリット１４が形成されている。１５のそれぞれは吊り下げ具３の吊り下げ片１１が取り付けられる取り付け穴であり、内側壁上部に係止部１６を備えている。吊り下げ片１１はその両端が取り付け穴１５のそれぞれに嵌入され、その係止部１９が係止部１６に係止することで取り付けられている。
【００１７】
成分発生体４は、図４に示すように、プラスチックス製のプレート片よりなり、全体が「小鳥」の形態を呈する。成分発生体４は合成樹脂の成形に際して液状の虫除け成分と芳香成分とが混入され、これによりその全体から芳香成分と虫除け成分を発生し、芳香を発するとともに虫除け機能を発揮する。また、成分発生体４内には音声発生のための第１ユニット１８が埋設されている。第１ユニット１８は成分発生体４が変位したことを感知する変位センサと、その変位センサのセンサ信号の発信器と、それらの電源電池とから構成されている。
【００１８】
成分発生体４は上部に、図３に示す吊り下げ体１７が取り付けられ、その吊り下げ体１７上部には球部２０が一体に形成されている。球部２０の径は上記上かご部５の頂部９の凹み部１０に形成された円形開口部１３の直径より若干大きく形成されている。これにより、吊り下げ体１７の球部２０が下方から円形開口部１３とスリット１４それぞれとを拡開して上方に差し入れられることで、その球部２０の下面側が円形開口部１３上縁で支持される。このようにして吊り下げ体１７が自由状態に設けられることで、吊り下げ体１７に上部が吊り下げられて取り付けられる成分発生体４は搖動と水平位置における回転が可能となっている。
【００１９】
図５に示すように、下かご部７の底部４０の下面には吊り下げ具３と同形態の収納嵌合凹所３０が設けられている。収納嵌合凹所３０内の両端それぞれには、大、小の嵌合突起３２、３３が突設されている。３９のそれぞれは設置用凸部であり、４９のそれぞれは水抜き用の穴が設けられている。また、下かご７の底部４０には、図１に示すように、音声発生のための第２ユニット４２が埋設されている。第２ユニット４２は上記第１ユニット１８からのセンサ信号を受信する受信機と、受信があった場合に「小鳥」の声を発する音声発生機と、それらの電源電池とから構成されている。
【００２０】
吊り下げ具３は一部が欠如された環状形態で、一端に上記吊り下げ片１１への係止部３５が設けられ、他端に嵌合穴３６が設けられている。吊り下げ具３は、成分発生装置１が吊り下げ使用されないで設置使用される場合、また、その販売梱包時には、係止部３５に嵌合突起３２が、嵌合穴３６に嵌合突起３３がそれぞれ嵌合される状態で収納嵌合凹所３０内に嵌合収納されるようになっている。
【００２１】
上記成分発生装置１は虫除け装置として、戸外のドアや窓の側位置、また、玄関内に図１に示す状態で吊り下げられて、また、吊り下げ具３が取り外されて設置使用され、「小鳥の入った鳥かご」の外観を呈してデザイン性に優れる。成分発生体４からは虫除け成分、芳香成分が発生し、虫除け機能が果たされるとともに周囲に芳香が発せられる。成分発生装置１が戸外で使用されて風を受けた場合には、成分発生体４は搖動、また、回転して「小鳥が動いた」ように見えるとともに、変位することで第２ユニット４２からの「小鳥の声」が発生穴４８から発せられ、これにより、まさに、「かご内に小鳥がいる」ようなリアル感が創出される。また、上記のように成分発生体４が回転動作することで、発生する虫除け成分、芳香成分の発散が促進され、虫除け機能、芳香機能がより良好に果たされる。成分発生体４はプラスチックス製のプレート片よりなり軽量で風を受けやすいので、その回転動作がスムーズに行われる。
【符号の説明】
【００２２】
１  成分発生装置
２  かご状収納体
３  吊り下げ具
４  成分発生体
【図１】
2016119878.tif 000003
【図２】
2016119878.tif 000004
【図３】
2016119878.tif 000005
【図４】
2016119878.tif 000006
【図５】
2016119878.tif 000007